(57)【要約】【課題】プレキャスコンクリート部材内に塩ビパイプ等の異物を残存させることなしに、スリーブ継手、シース管、スリーブ継手収容空間等にグラウトを充填でき、鉄筋位置を迂回させて曲線状にグラウト注排出路形成用型枠を配置しても、グラウト注排出路形成用型枠を確実かつ容易に除去して、曲線状のグラウト注排出路を形成できるようにしたプレキャストコンクリート部材の製造方法を実現する。【解決手段】プレキャストコンクリート部材製造用型枠２の内部に、発泡スチロールが主材料とされたグラウト注排出路形成用型枠５を配置した状態で、プレキャストコンクリート部材用のコンクリート６を打設し、当該コンクリートの硬化後、溶剤７により発泡スチロールを溶かして、グラウト注排出路形成用型枠を除去することにより、グラウト注排出路ｂが形成されたプレキャストコンクリート部材１を製造する。【選択図】図３
2011042971.tif 000002
【特許請求の範囲】
【請求項１】
スリーブ継手又はシース管若しくはスリーブ継手収容空間のグラウト注排出口に連通するグラウト注排出路が形成されたプレキャストコンクリート部材を製造するにあたり、プレキャストコンクリート部材製造用型枠の内部に、発泡スチロールが主材料とされたグラウト注排出路形成用型枠を配置した状態で、プレキャストコンクリート部材用のコンクリートを打設し、当該コンクリートの硬化後、溶剤により発泡スチロールを溶かして、グラウト注排出路形成用型枠を除去することにより、グラウト注排出路が形成されたプレキャストコンクリート部材を製造することを特徴とするプレキャストコンクリート部材の製造方法。
【請求項２】
スリーブ継手を軸芯方向スライド自在に収納するスリーブ継手収容空間を形成するための発泡スチロールが主材料とされたスリーブ継手収容空間形成用型枠と、当該スリーブ継手収容空間形成用型枠に対して分離可能な状態に連結され発泡スチロールが主材料とされたグラウト注排出路形成用型枠とをプレキャストコンクリート部材製造用型枠の内部に配置した状態で、プレキャストコンクリート部材製造用型枠の内部にプレキャストコンクリート部材用のコンクリートを打設し、当該コンクリートの硬化後、溶剤により発泡スチロールを溶かして、スリーブ継手収容空間形成用型枠及びグラウト注排出路形成用型枠を除去することにより、スリーブ継手収容空間とそのグラウト注排出口に連通するグラウト注排出路が形成されたプレキャストコンクリート部材を製造することを特徴とするプレキャストコンクリート部材の製造方法。
【請求項３】
スリーブ継手を軸芯方向スライド自在に収納するスリーブ継手収容空間を形成するためのスリーブ継手収容空間形成用型枠と、当該スリーブ継手収容空間形成用型枠に対して分離可能な状態に連結されたグラウト注排出路形成用型枠とを、夫々、金属パイプから成る芯材と、その外周に被覆された発泡スチロール層とで構成し、これらのスリーブ継手収容空間形成用型枠及びグラウト注排出路形成用型枠をプレキャストコンクリート部材製造用型枠の内部に配置した状態で、プレキャストコンクリート部材製造用型枠の内部にプレキャストコンクリート部材用のコンクリートを打設し、当該コンクリートの硬化後、溶剤により発泡スチロールを溶かして、スリーブ継手収容空間形成用型枠及びグラウト注排出路形成用型枠を除去することにより、スリーブ継手収容空間とそのグラウト注排出口に連通するグラウト注排出路が形成されたプレキャストコンクリート部材を製造することを特徴とする請求項２に記載のプレキャストコンクリート部材の製造方法。
【請求項４】
グラウト注排出路形成用型枠が、可撓性の金属パイプから成る芯材と、その外周に被覆された発泡スチロール層とにより、折り曲げ自在に形成されていることを特徴とする請求項１〜３の何れかに記載のプレキャストコンクリート部材の製造方法。
【請求項５】
金属パイプの周壁に溶剤噴出用の小孔が形成されていることを特徴とする請求項３又は４に記載のプレキャストコンクリート部材の製造方法。
【発明の詳細な説明】
【技術分野】
【０００１】
本発明は、プレキャスコンクリート部材内に塩ビパイプ等の異物を残存させることなしに、スリーブ継手、シース管、スリーブ継手収容空間等にグラウトを充填できるようにしたプレキャストコンクリート部材の製造方法に関する。
【背景技術】
【０００２】
プレキャスコンクリート部材を用いて鉄筋コンクリート造の柱梁構造を構築する場合、プレキャスコンクリート部材同士の接合には、グラウト方式の機械継手（例えば、スリーブ継手やスライド式スリーブ継手）を用いることが多い。
【０００３】
スリーブ継手は、図１に示すように、一方のプレキャスコンクリート部材１の端部に、スリーブ継手３を主筋４が半分程度まで差し込まれた状態に埋設しておき、他方のプレキャスコンクリート部材１の端部から突出させた主筋４を、スリーブ継手３に差し込み、一方のプレキャスコンクリート部材１に形成されたグラウト注排出路ｂからスリーブ継手３の内部にグラウト１７を充填する機械継手である。
【０００４】
また、スライド式スリーブ継手方式として、図２に示すように、一方のプレキャスコンクリート部材１の端部に埋設されたシース管１１にスリーブ継手３をスライド自在に収容しておき、他方のプレキャスコンクリート部材１の端部を突き合わせた状態で、スリーブ継手３を引き出して、相対向する主筋４、４に半分ずつ嵌合させ、この状態で、スリーブ継手３の内部にグラウト１７を充填し、しかる後、両プレキャスコンクリート部材１、１に形成されたグラウト注排出路ｂ、ｂからシース管１１、１１の内部（スリーブ継手３とシース管１１の隙間）にもグラウト１７を充填する方式もある。
【０００５】
ところで、従来では、スリーブ継手３やシース管１１に対するグラウト注排出路ｂは、プレキャスコンクリート部材１を製造する際、図１５、図１６に示すように、塩ビパイプ１９を埋め込むことによって形成されていた。そのため、グラウト１７によるプレキャスコンクリート部材１の接合完了後においても、プレキャスコンクリート部材１の内部に塩ビパイプ１９が残置され、塩ビパイプ１９の残置がプレキャスコンクリート部材１の構造性能に影響を与える場合は、補強等を考慮する必要があった。
【０００６】
このような不都合を回避する手段として、例えば、特許文献１では、塩ビパイプを外拡がりのテーパー状に形成して、プレキャスコンクリート部材用のコンクリートが硬化した後、塩ビパイプを引き抜く案や、塩ビパイプの代わりに内部にネジ孔が形成された棒状部材を使用し、コンクリートの硬化後、ネジ軸状の工具をネジ孔に差し込んで、工具で棒状部材を引っ張り出す案などが提案されている。しかし、これらによる場合は、塩ビパイプや棒状部材が直線状であり、鉄筋位置を迂回させて、曲線状のグラウト注排出路を形成することができないという問題点がある。
【０００７】
また、特許文献２では、流体の供給及び排出により膨張及び収縮する可撓性チューブ体によって作製した可撓性のグラウト注排出路形成用型枠をプレキャストコンクリート部材製造用型枠の内部に配置し、コンクリートの硬化後、グラウト注排出路形成用型枠を流体の排出により径方向に収縮して外部に引っ張り出す案が提案されている。しかしながら、これによる場合は、鉄筋位置を迂回させて曲線状にグラウト注排出路形成用型枠を配置するにあたって、流体の供給による膨張によってグラウト注排出路形成用型枠が直線状にならないように、鉄筋に番線等で結束しておくことが必要であり、番線等による結束がグラウト注排出路形成用型枠の抜き取りの障害となり、グラウト注排出路形成用型枠の除去が
困難である。
【先行技術文献】
【特許文献】
【０００８】
【特許文献１】特開２００７−２９１８４１号公報
【特許文献２】特開２００８−２３１６７９号公報
【発明の概要】
【発明が解決しようとする課題】
【０００９】
本発明は、上記の問題点を踏まえて成されたものであって、その目的とするところは、プレキャスコンクリート部材内に塩ビパイプ等の異物を残存させることなしに、スリーブ継手、シース管、スリーブ継手収容空間等にグラウトを充填でき、しかも、鉄筋位置を迂回させて曲線状にグラウト注排出路形成用型枠を配置しても、グラウト注排出路形成用型枠を確実かつ容易に除去して、曲線状のグラウト注排出路を形成できるようにしたプレキャストコンクリート部材の製造方法を実現することにある。
【課題を解決するための手段】
【００１０】
上記の目的を達成するために本発明が講じた技術的手段は、次のとおりである。即ち、請求項１に記載の発明によるプレキャストコンクリート部材の製造方法は、スリーブ継手又はシース管若しくはスリーブ継手収容空間のグラウト注排出口に連通するグラウト注排出路が形成されたプレキャストコンクリート部材を製造するにあたり、プレキャストコンクリート部材製造用型枠の内部に、発泡スチロールが主材料とされたグラウト注排出路形成用型枠を配置した状態で、プレキャストコンクリート部材用のコンクリートを打設し、当該コンクリートの硬化後、溶剤により発泡スチロールを溶かして、グラウト注排出路形成用型枠を除去することにより、グラウト注排出路が形成されたプレキャストコンクリート部材を製造することを特徴としている。尚、発泡スチロールが主材料とされたグラウト注排出路形成用型枠とは、発泡スチロールだけでグラウト注排出路形成用型枠を製作する場合と、発泡スチロールの内部に発泡スチロール以外の材質の芯材を入れてグラウト注排出路形成用型枠を製作する場合とを包含する意味である。
【００１１】
請求項２に記載の発明によるプレキャストコンクリート部材の製造方法は、スリーブ継手を軸芯方向スライド自在に収納するスリーブ継手収容空間を形成するための発泡スチロールが主材料とされたスリーブ継手収容空間形成用型枠と、当該スリーブ継手収容空間形成用型枠に対して分離可能な状態に連結され発泡スチロールが主材料とされたグラウト注排出路形成用型枠とをプレキャストコンクリート部材製造用型枠の内部に配置した状態で、プレキャストコンクリート部材製造用型枠の内部にプレキャストコンクリート部材用のコンクリートを打設し、当該コンクリートの硬化後、溶剤により発泡スチロールを溶かして、スリーブ継手収容空間形成用型枠及びグラウト注排出路形成用型枠を除去することにより、スリーブ継手収容空間とそのグラウト注排出口に連通するグラウト注排出路が形成されたプレキャストコンクリート部材を製造することを特徴としている。
【００１２】
請求項３に記載の発明は、請求項２に記載のプレキャストコンクリート部材の製造方法であって、スリーブ継手を軸芯方向スライド自在に収納するスリーブ継手収容空間を形成するためのスリーブ継手収容空間形成用型枠と、当該スリーブ継手収容空間形成用型枠に対して分離可能な状態に連結されたグラウト注排出路形成用型枠とを、夫々、金属パイプから成る芯材と、その外周に被覆された発泡スチロール層とで構成し、これらのスリーブ継手収容空間形成用型枠及びグラウト注排出路形成用型枠をプレキャストコンクリート部材製造用型枠の内部に配置した状態で、プレキャストコンクリート部材製造用型枠の内部にプレキャストコンクリート部材用のコンクリートを打設し、当該コンクリートの硬化後、溶剤により発泡スチロールを溶かして、スリーブ継手収容空間形成用型枠及びグラウト
注排出路形成用型枠を除去することにより、スリーブ継手収容空間とそのグラウト注排出口に連通するグラウト注排出路が形成されたプレキャストコンクリート部材を製造することを特徴としている。
【００１３】
請求項４に記載の発明は、請求項１〜３の何れかに記載のプレキャストコンクリート部材の製造方法であって、グラウト注排出路形成用型枠が、可撓性の金属パイプから成る芯材と、その外周に被覆された発泡スチロール層とにより、折り曲げ自在に形成されていることを特徴としている。
【００１４】
請求項５に記載の発明は、請求項３又は４に記載のプレキャストコンクリート部材の製造方法であって、金属パイプの周壁に溶剤噴出用の小孔が形成されていることを特徴としている。
【発明の効果】
【００１５】
請求項１に記載の発明によれば、発泡スチロールが主材料とされたグラウト注排出路形成用型枠を配置した状態で、プレキャストコンクリート部材用のコンクリートを打設し、当該コンクリートの硬化後、溶剤により発泡スチロールを溶かして、グラウト注排出路形成用型枠を除去するので、プレキャスコンクリート部材内に塩ビパイプ等の異物を残存させることなしに、グラウトを充填できる。
【００１６】
殊に、発泡スチロールが主材料とされたグラウト注排出路形成用型枠を用い、溶剤により発泡スチロールを溶かして、グラウト注排出路形成用型枠を除去するので、鉄筋位置を迂回させて曲線状にグラウト注排出路形成用型枠を配置しても、グラウト注排出路形成用型枠を確実かつ容易に除去することが可能であり、曲線状のグラウト注排出路を形成できる。たとえ、発泡スチロールの内部に芯材を入れて補強したグラウト注排出路形成用型枠であっても、発泡スチロールの溶失により芯材の周囲に空洞が形成されるので、芯材を容易に引き出すことができ、曲線状のグラウト注排出路を形成できるのである。
【００１７】
請求項２に記載の発明によれば、発泡スチロールが主材料とされたグラウト注排出路形成用型枠をプレキャストコンクリート部材製造用型枠の内部に配置した状態で、プレキャストコンクリート部材製造用型枠の内部にプレキャストコンクリート部材用のコンクリートを打設し、当該コンクリートの硬化後、溶剤により発泡スチロールを溶かして、グラウト注排出路形成用型枠を除去することにより、グラウト注排出路を形成するので、鉄筋位置を迂回させて曲線状にグラウト注排出路形成用型枠を配置しても、グラウト注排出路形成用型枠を確実かつ容易に除去することが可能であり、曲線状のグラウト注排出路を形成できる。
【００１８】
殊に、この発明によれば、スリーブ継手を軸芯方向スライド自在に収納するスリーブ継手収容空間を形成するための発泡スチロールが主材料とされたスリーブ継手収容空間形成用型枠と、当該スリーブ継手収容空間形成用型枠に対して分離可能な状態に連結され発泡スチロールが主材料とされたグラウト注排出路形成用型枠とをプレキャストコンクリート部材製造用型枠の内部に配置した状態で、プレキャストコンクリート部材製造用型枠の内部にプレキャストコンクリート部材用のコンクリートを打設し、当該コンクリートの硬化後、溶剤により発泡スチロールを溶かして、スリーブ継手収容空間形成用型枠及びグラウト注排出路形成用型枠を除去することにより、スリーブ継手収容空間とそのグラウト注排出口に連通するグラウト注排出路が形成されたプレキャストコンクリート部材を製造するので、スライド式スリーブ継手におけるシース管を省略することができる。
【００１９】
請求項３に記載の発明によれば、請求項２に記載の発明による効果に加え、次の効果がある。即ち、スリーブ継手を軸芯方向スライド自在に収納するスリーブ継手収容空間を形
成するためのスリーブ継手収容空間形成用型枠と、当該スリーブ継手収容空間形成用型枠に対して分離可能な状態に連結されたグラウト注排出路形成用型枠とを、夫々、金属パイプから成る芯材と、その外周に被覆された発泡スチロール層とで構成したので、芯材となる金属パイプの容積分だけ、発泡スチロールの量及び溶剤の量を減少することができ、しかも、コンクリート打設時の振動やコンクリート圧によるスリーブ継手収容空間形成用型枠及びグラウト注排出路形成用型枠の不測な変形、折損等を防止できる。
【００２０】
請求項４に記載の発明によれば、グラウト注排出路形成用型枠が、可撓性の金属パイプから成る芯材と、その外周に被覆された発泡スチロール層とにより、折り曲げ自在に形成されているので、鉄筋位置を迂回させて曲線状にグラウト注排出路形成用型枠を配置することが容易である。殊に、発泡スチロール層を肉薄にして、発泡スチロール量及び溶剤量を低減しても、溶剤により発泡スチロールを溶かして、金属パイプを引き抜く際、金属パイプを曲線状のグラウト注排出路の内面に沿って変形させることができ、金属パイプの引き抜きが容易である。
【００２１】
請求項５に記載の発明によれば、金属パイプの周壁に溶剤噴出用の小孔が形成されているので、発泡スチロール層をコンクリート表面からだけでなく、発泡スチロール層の内部からも溶剤を吹き付けて、発泡スチロールを迅速に溶かすことができる。
【図面の簡単な説明】
【００２２】
【図１】スリーブ継手とプレキャストコンクリート部材の説明図である。
【図２】スライド式スリーブ継手とプレキャストコンクリート部材の説明図である。
【図３】本発明に係るプレキャストコンクリート部材の製造方法の説明図である。
【図４】本発明の他の実施形態を示すプレキャストコンクリート部材の製造方法の説明図である。
【図５】本発明の他の実施形態を示すプレキャストコンクリート部材の製造方法の説明図である。
【図６】図５に続くプレキャストコンクリート部材の製造方法の説明図である。
【図７】本発明の他の実施形態を示すプレキャストコンクリート部材の製造方法の説明図である。
【図８】本発明の他の実施形態におけるスリーブ継手収容空間形成用型枠及びグラウト注排出路形成用型枠の分解斜視図である。
【図９】図８のスリーブ継手収容空間形成用型枠及びグラウト注排出路形成用型枠を用いたプレキャストコンクリート部材の製造方法の説明図である。
【図１０】図９に続くプレキャストコンクリート部材の製造方法の説明図である。
【図１１】本発明の他の実施形態を示すプレキャストコンクリート部材の製造方法の説明図である。
【図１２】上記の方法により製造されたプレキャストコンクリート部材の接合方法を説明する図である。
【図１３】図１２に続く接合方法の説明図である。
【図１４】図１３に続く接合方法の説明図である。
【図１５】従来例の説明図である。
【図１６】従来例の説明図である。
【発明を実施するための形態】
【００２３】
以下、本発明の実施形態を図面に基づいて説明する。先ず、図１に示したプレキャストコンクリート部材１の製造方法を説明する。図３の（Ａ）に示すように、プレキャストコンクリート部材製造用型枠２の内部に、スリーブ継手３を主筋４が半分程度まで差し込まれた状態に配置すると共に、棒状に発泡成形した、あるいは、棒状に二次加工した発泡スチロールによって作製されたグラウト注排出路形成用型枠５を、その内端部がスリーブ継
手３のグラウト注排出口ａに差し込まれ、外端部がコンクリート表面から露出し得る状態に配置し、この状態で、プレキャストコンクリート部材製造用型枠２の内部にプレキャストコンクリート部材用のコンクリート６を打設する。
【００２４】
前記コンクリート６が硬化したら、図３の（Ｂ）に示すように、プレキャストコンクリート部材製造用型枠２を解体した後、グラウト注排出路形成用型枠５に溶剤７を吹き付け、発泡スチロールを溶失させることによって、グラウト注排出路形成用型枠５を除去し、スリーブ継手３のグラウト注排出口ａに連通するグラウト注排出路ｂが形成されたプレキャストコンクリート部材１を製造する。３ａはスリーブ継手３の内端部に形成された雌ねじ部であり、主筋４として用いられたねじ節鉄筋のねじ部とねじ嵌合してある。８は主筋４群に巻き掛けたせん断補強筋である。
【００２５】
溶剤７としては、ベンゼン、トルエン、キシレン、ガソリン等も採用できるが、柑橘系天然リモネンを用いることが、他の石油系溶剤に比べ着火しにくくて安全性が高く、無色無害であり、環境負荷を小さくすることができる点で、望ましい。
【００２６】
上記の構成によれば、プレキャストコンクリート部材用のコンクリート６が硬化した後、溶剤７により発泡スチロールを溶かして、グラウト注排出路形成用型枠５を除去するので、プレキャスコンクリート部材１内に塩ビパイプ等の異物を残存させることなしに、グラウトを充填できることになる。
【００２７】
殊に、グラウト注排出路形成用型枠５の全体を発泡スチロールで作製し、溶剤により発泡スチロールを溶かして、グラウト注排出路形成用型枠５を除去するようにしたので、鉄筋位置を迂回させて曲線状や折れ曲った形状にグラウト注排出路形成用型枠５を配置しても、グラウト注排出路形成用型枠５を確実かつ容易に除去することが可能であり、必要に応じて曲線状や折れ曲った形状のグラウト注排出路ｂを形成できる。
【００２８】
図４の（Ａ）、（Ｂ）は、本発明の他の実施形態を示す。この実施形態は、グラウト注排出路形成用型枠５を、金属パイプ９から成る芯材と、その外周に被覆された発泡スチロール層１０とで構成した点に特徴がある。金属パイプ９の内端部は、スリーブ継手３のグラウト注排出口ａに挿抜自在に差し込まれており、溶剤７で発泡スチロール層１０を溶かした後、金属パイプ９を外部に抜き取って、再利用するように構成されている。
【００２９】
上記の構成によれば、芯材となる金属パイプ９の容積分だけ、発泡スチロールの量及び溶剤７の量を減少することができ、しかも、コンクリート打設時の振動やコンクリート圧によってグラウト注排出路形成用型枠５の不測な変形、折損等を防止できる。
【００３０】
金属パイプ９としては、溶剤７の影響を受けないステンレスやその他の金属で作製された硬質のものであってもよいが、可撓性のある銅管や金属板でスパイラル状に形成されたフレキシブルチューブによる可撓性の金属パイプ９とし、この金属パイプ９からなる芯材とその外周に被覆された発泡スチロール層１０とにより、折り曲げ自在なグラウト注排出路形成用型枠５とすることが望ましい。このようにすれば、鉄筋位置を迂回させて曲線状や折れ曲った形状にグラウト注排出路形成用型枠５を配置しながらも、コンクリート打設時の振動やコンクリート圧によるグラウト注排出路形成用型枠５の不測な変形、折損等を防止できるからである。その他の構成、作用は先の実施形態と同じであるため、説明を省略する。
【００３１】
次に、図２に示したプレキャストコンクリート部材１の製造方法について説明する。図５の（Ａ）に示すように、プレキャストコンクリート部材製造用型枠２の内部に、スリーブ継手を軸芯方向スライド自在に収納するためのシース管１１を、その内端部に設けた雌
ねじ状金具１２が主筋４にねじ嵌合し、シース管１１の外端部がプレキャストコンクリート部材製造用型枠２を貫通する支持金具１３で支持された状態に配置すると共に、棒状に発泡成形した、あるいは、棒状に二次加工したプレキ発泡スチロールによって作製されたグラウト注排出路形成用型枠５を、その内端部がシース管１１のグラウト注排出口ａに差し込まれ、外端部がコンクリート表面から露出し得る状態に配置する。
【００３２】
この状態で、図５の（Ｂ）に示すように、プレキャストコンクリート部材製造用型枠２の内部にプレキャストコンクリート部材用のコンクリート６を打設する。
【００３３】
前記コンクリート６が硬化したら、図６の（Ａ）に示すように、プレキャストコンクリート部材製造用型枠２を解体した後、グラウト注排出路形成用型枠５に溶剤７を吹き付け、発泡スチロールを溶失させることによって、グラウト注排出路形成用型枠５を除去し、図６の（Ｂ）に示すように、シース管１１のグラウト注排出口ａに連通するグラウト注排出路ｂが形成されたプレキャストコンクリート部材１を製造する。このようにして製造されたプレキャストコンクリート部材１は、図２で示したように、スライド式スリーブ継手によって接合されることになる。その他の構成、作用は、図３の実施形態と同じであるため、説明を省略する。
【００３４】
図７の（Ａ）、（Ｂ）は、本発明の他の実施形態を示す。この実施形態は、シース管１１のグラウト注排出口ａに連結されるグラウト注排出路形成用型枠５を、金属パイプ９から成る芯材と、その外周に被覆された発泡スチロール層１０とで構成した点に特徴がある。金属パイプ９の内端部は、シース管１１のグラウト注排出口ａに挿抜自在に差し込まれており、溶剤７で発泡スチロール層１０を溶かした後、金属パイプ９を外部に抜き取って、再利用するように構成されている。
【００３５】
上記の構成によれば、芯材となる金属パイプ９の容積分だけ、発泡スチロールの量及び溶剤７の量を減少することができ、しかも、コンクリート打設時の振動やコンクリート圧によるグラウト注排出路形成用型枠５の不測な変形、折損等を防止できる。
【００３６】
金属パイプ９としては、溶剤７の影響を受けないステンレスやその他の金属で作製された硬質のものであってもよいが、可撓性のある銅管や金属板でスパイラル状に形成されたフレキシブルチューブによる可撓性の金属パイプ９とし、この金属パイプ９からなる芯材とその外周に被覆された発泡スチロール層１０とにより、折り曲げ自在なグラウト注排出路形成用型枠５とすることが望ましい。このようにすれば、鉄筋位置を迂回させて曲線状や折れ曲った形状にグラウト注排出路形成用型枠５を配置しながらも、コンクリート打設時の振動やコンクリート圧によるグラウト注排出路形成用型枠５の不測な変形、折損等を防止できるからである。その他の構成、作用は先の実施形態と同じであるため、説明を省略する。
【００３７】
図８〜図１０は、本発明の他の実施形態を示す。この実施形態は、スリーブ継手を軸芯方向スライド自在に収納するスリーブ継手収容空間Ｓを形成するためのスリーブ継手収容空間形成用型枠１４と、当該スリーブ継手収容空間形成用型枠１４に連結されたグラウト注排出路形成用型枠５とを、夫々、発泡スチロールで作製し、これらをプレキャストコンクリート部材製造用型枠２の内部に配置した状態で、プレキャストコンクリート部材製造用型枠２の内部にプレキャストコンクリート部材用のコンクリート６を打設し、当該コンクリート６の硬化後、溶剤7により発泡スチロールを溶かして、スリーブ継手収容空間形
成用型枠１４及びグラウト注排出路形成用型枠５を除去することにより、スリーブ継手収容空間Ｓとそのグラウト注排出口ａに連通するグラウト注排出路ｂが形成されたプレキャストコンクリート部材１を製造する点に特徴がある。１５はスリーブ継手収容空間形成用型枠１４の内端部に固着された金属製の雌ねじ部材であり、主筋４にねじ嵌合してある。
スリーブ継手収容空間形成用型枠１４の外端部は、プレキャストコンクリート部材製造用型枠２を貫通する支持金具１３で支持されている。
【００３８】
スリーブ継手収容空間形成用型枠１４とグラウト注排出路形成用型枠５は、それらの全体を発泡スチロールで作製してもよいが、図示の実施形態においては、図８に示すように、スリーブ継手収容空間形成用型枠１４と、当該スリーブ継手収容空間形成用型枠１４に対して分離可能な状態に連結されたグラウト注排出路形成用型枠５とを、夫々、金属パイプ９から成る芯材と、その外周に被覆された発泡スチロール層１０とで構成している。金属パイプ９の内端部は、スリーブ継手収容空間形成用型枠１４のグラウト注排出口ａに挿抜自在に差し込まれており、溶剤７で発泡スチロール層１０を溶かした後、グラウト注排出路形成用型枠５に用いた金属パイプ９を外部に抜き取り、しかる後、スリーブ継手収容空間形成用型枠１４に用いた金属パイプ９を外部に抜き取って、それらの金属パイプ９を再利用するように構成されている。
【００３９】
上記の構成によれば、芯材となる金属パイプ９の容積分だけ、発泡スチロールの量及び溶剤７の量を減少することができ、しかも、コンクリート打設時の振動やコンクリート圧によるグラウト注排出路形成用型枠５やスリーブ継手収容空間形成用型枠１４の不測な変形、折損等を防止できる。
【００４０】
金属パイプ９としては、溶剤７の影響を受けないステンレスやその他の金属で作製された硬質のものであってもよいが、グラウト注排出路形成用型枠に用いる金属パイプ９については、可撓性のある銅管や金属板でスパイラル状に形成されたフレキシブルチューブによる可撓性の金属パイプ９とし、この金属パイプ９からなる芯材とその外周に被覆された発泡スチロール層１０とにより、折り曲げ自在なグラウト注排出路形成用型枠５とすることが望ましい。
【００４１】
このようにすれば、鉄筋位置を迂回させて曲線状や折れ曲った形状にグラウト注排出路形成用型枠５を配置しながらも、コンクリート打設時の振動やコンクリート圧によるグラウト注排出路形成用型枠０の変形、折損等を防止できるからである。
【００４２】
また、図示の実施形態においては、金属パイプ９の周壁に溶剤噴出用の小孔ｃが形成されており、発泡スチロール層１０をコンクリート表面からだけでなく、発泡スチロール層１０の内部からも溶剤７を吹き付けて、発泡スチロールを迅速に溶かすことができるように工夫されている。その他の構成、作用は先の実施形態と同じであるため、説明を省略する。
【００４３】
尚、グラウト注排出路形成用型枠５の外端部は、コンクリート表面から露出し得る状態に配置されるが、グラウト注排出路形成用型枠５の外端部をプレキャストコンクリート部材製造用型枠２で強固に支持したい場合や、グラウト注排出路ｂをプレキャストコンクリート部材１の側面や下面に開口した状態に形成する場合には、図１１の（Ａ）に示すように、プレキャストコンクリート部材製造用型枠２のねじ孔にねじ込んだボルト１６をグラウト注排出路形成用型枠５の金属パイプ９の先端に挿入したり、図１１の（Ｂ）に示すように、グラウト注排出路形成用型枠５の外端部をプレキャストコンクリート部材製造用型枠２の貫通孔に挿通して、外部に突出させることもできる。
【００４４】
上記の方法によって製造されたプレキャストコンクリート部材１は、図１２〜図１４に示すように、スライド式スリーブ継手で接合されることになる。即ち、図１２に示すように、一方のプレキャスコンクリート部材１の端部に形成されたスリーブ継手収容空間Ｓにスリーブ継手３をスライド自在に収容しておき、図１３に示すように、他方のプレキャスコンクリート部材１の端部を突き合わせた状態で、スリーブ継手３を引き出して、相対向
する主筋４、４に半分ずつ嵌合させ、この状態で、スリーブ継手３の内部にグラウト１７を充填し、しかる後、図１４に示すように、両プレキャスコンクリート部材１、１に形成されたグラウト注排出路ｂ、ｂからスリーブ継手収容空間Ｓの内部（スリーブ継手３とスリーブ継手収容空間Ｓの隙間）にもグラウト１７を充填するのである。
【００４５】
上記の構成によれば、スライド式スリーブ継手で接合されるプレキャストコンクリート部材１を製造する方法であるにもかかわらず、シース管やシース管をプレキャストコンクリート部材製造用型枠に支持させるための二重筒構造の芯金を省略することができる。
【００４６】
即ち、スライド式スリーブ継手が採用される従来のプレキャストコンクリート部材の製造方法では、図１５に示すように、主筋４の端部にシース管１１を取り付け、プレキャストコンクリート部材製造用型枠２に支持させた二重筒構造の芯金１８でシース管１１を支持し、コンクリート６が硬化したら、プレキャストコンクリート部材製造用型枠２を解体した後、図１６の（Ａ）に示すように、芯金１８の外筒部１８ａを抜き取り、次いで、図１６の（Ｂ）に示すように、芯金１８の内筒部１８ｂを抜き取るといった工程が必要である。尚、図中の１９はグラウト注排出路ｂを形成するためにコンクリート６に埋め込まれた塩ビパイプである。２０は内筒部１８ｂの内周面に固着されたナットであり、主筋４にねじ嵌合させてある。２１はシース管１１の内端部を閉塞するリング状の蓋体、２２は蓋体２１を固定するナット部材であり、主筋４にねじ込んである。
【００４７】
しかるところ、上記の構成によれば、溶剤7で発泡スチロール層１０を溶失させて、ス
リーブ継手収容空間形成用型枠１４及びグラウト注排出路形成用型枠５を除去することにより、スリーブ継手収容空間Ｓとそのグラウト注排出口ａに連通するグラウト注排出路ｂが形成されたプレキャストコンクリート部材１を製造するので、シース管１１や芯金１８を省略して、コストダウンを図り得るのである。
【００４８】
以上、本発明の実施形態について説明したが、本発明は上述した実施形態にのみ限定されるものではない。
【産業上の利用可能性】
【００４９】
本発明の製造方法は、柱用のプレキャストコンクリート部材や梁用のプレキャストコンクリート部材の他、鉄筋コンクリート造のサイロやタンクといった壁構造を構築するプレキャストコンクリート部材の製造にも利用できる。
【符号の説明】
【００５０】
１  プレキャストコンクリート部材
２  プレキャストコンクリート部材製造用型枠
３  スリーブ継手
４  主筋
５  グラウト注排出路形成用型枠
６  コンクリート
７  溶剤
８  せん断補強筋
９  金属パイプ
１０  発泡スチロール層
１１  シース管
１２  雌ねじ状金具
１３  支持金具
１４  スリーブ継手収容空間形成用型枠
１５  雌ねじ部材
１６  ボルト
１７  グラウト
１８  芯金
１８ａ  外筒部
１８ｂ  内筒部
１９  塩ビパイプ
２０  ナット
２１  蓋体
２２  ナット部材
Ｓ  スリーブ継手収容空間
ａ  グラウト注排出口
ｂ  グラウト注排出路
ｃ  小孔  
【図１】
2011042971.tif 000003
【図２】
2011042971.tif 000004
【図３】
2011042971.tif 000005
【図４】
2011042971.tif 000006
【図５】
2011042971.tif 000007
【図６】
2011042971.tif 000008
【図７】
2011042971.tif 000009
【図８】
2011042971.tif 000010
【図９】
2011042971.tif 000011
【図１０】
2011042971.tif 000012
【図１１】
2011042971.tif 000013
【図１２】
2011042971.tif 000014
【図１３】
2011042971.tif 000015
【図１４】
2011042971.tif 000016
【図１５】
2011042971.tif 000017
【図１６】
2011042971.tif 000018